(57)【要約】      （修正有）【課題】プラズマディスプレイパネルの電極端子部に位置する端子部電極収斂線が電界集中効果によって劣化することを防止することができる電極端子部構造及びこれを備えたプラズマディスプレイパネルを提供する。【解決手段】複数のバス電極が一つの集合を成して構成される第１の電極と、第１の電極と対応されるように配置され、複数のバス電極が一つの集合を成して構成される第２の電極と、第１の電極及び第２の電極とそれぞれ電気的に連結される電極端子部と、電極端子部に位置し、第１の電極を構成する複数のバス電極又は第２の電極を構成する複数のバス電極とそれぞれ電気的に連結される端子部電極収束線、電極端子部に位置し、端子部電極収束線が集合されて単一の線に延長された端子部電極と、を備え、端子部電極収束線、角ばった部分が存在しないように端子部電極に接続される。【選択図】図３
2007053073.tif 000002
【特許請求の範囲】
【請求項１】
複数のバス電極が一つの集合を成して構成される第１の電極と、
前記第１の電極と対応されるように配置され、複数のバス電極が一つの集合を成して構成される第２の電極と、
前記第１の電極及び前記第２の電極とそれぞれ電気的に連結される電極端子部と、
前記電極端子部に位置し、第１の電極を構成する複数のバス電極又は第２の電極を構成する複数のバス電極とそれぞれ電気的に連結される端子部電極収束線と、
前記電極端子部に位置し、前記端子部電極収束線が集合されて単一の線に延長された端子部電極と、を備え、
前記端子部電極収束線は、角ばった部分が存在しないように前記端子部電極に接続されるプラズマディスプレイパネルの電極端子部構造。
【請求項２】
前記第１の電極又は前記第２の電極は、前記第１の電極又は前記第２の電極を構成する複数のバス電極を相互に連結する電極連結部をさらに備える請求項１に記載のプラズマディスプレイパネルの電極端子部構造。
【請求項３】
前記第２の電極は、前記第１の電極が延長される方向と交差する方向に延長される請求項１に記載のプラズマディスプレイパネルの電極端子部構造。
【請求項４】
前記第１の電極及び前記第２の電極は、互いに平行に延長され、前記第１の電極及び前記第２の電極と交差する方向に延長されたアドレス電極をさらに備える請求項１に記載のプラズマディスプレイパネルの電極端子部構造。
【請求項５】
前記端子部電極は、前記第１の電極又は前記第２の電極に電気的信号を伝達する信号伝達手段と電気的に連結される請求項１に記載のプラズマディスプレイパネルの電極端子部構造。
【請求項６】
第１の基板と、
前記第１の基板と対向して離隔されて配置された第２の基板と、
前記第１の基板と前記第２の基板との間に配置され、ガス放電を起こす空間である放電セルを画定する隔壁と、
前記第１の基板と前記第２の基板との間に配置され、放電セル内でガス放電を引き起こし、複数のバス電極が一つの集合を成して構成された第１の電極及び第２の電極を備える維持電極対と、
前記第１の電極及び前記第２の電極とそれぞれ電気的に連結される電極端子部と、
前記電極端子部に位置し、第１の電極を構成する複数のバス電極又は第２の電極を構成する複数のバス電極とそれぞれ電気的に連結される端子部電極収束線と、
前記電極端子部に位置し、前記端子部電極収束線が集合されて単一の線に延長される端子部電極と、
前記放電セル内に配置される蛍光体層と、
前記放電セル内に充填される放電ガスと、を備え、
前記端子部電極収束線は、角ばった部分が存在しないように前記端子部電極に接続されるプラズマディスプレイパネル。
【請求項７】
前記第１の電極又は前記第２の電極は、前記第１の電極を構成する複数のバス電極又は前記第２の電極を構成する複数のバス電極を相互連結する電極連結部をさらに備える請求項６に記載のプラズマディスプレイパネル。
【請求項８】
前記電極連結部は、前記バス電極と交差する方向に延長される隔壁と対応するように配置される請求項７に記載のプラズマディスプレイパネル。
【請求項９】
前記維持電極対を構成する前記第１の電極及び前記第２の電極に含まれる複数のバス電極は、前記放電セルに対応する領域内に配置される請求項６に記載のプラズマディスプレイパネル。
【請求項１０】
前記維持電極は、前記第２基板と対向する側の前記第１の基板上に配置される請求項６に記載のプラズマディスプレイパネル。
【請求項１１】
前記第２の電極は、前記第１の電極が延長される方向と交差する方向に延長される請求項６に記載のプラズマディスプレイパネル。
【請求項１２】
前記第１の電極及び前記第２の電極は、互いに平行に延長され、前記第１の電極及び前記第２の電極が延長される方向と交差する方向に延長されたアドレス電極をさらに備える請求項６に記載のプラズマディスプレイパネル。
【請求項１３】
前記アドレス電極は、前記第１の基板と対向する側の前記第２の基板上に配置される請求項１２に記載のプラズマディスプレイパネル。
【請求項１４】
前記端子部電極は、前記第１の電極又は前記第２の電極に電気的信号を伝達する信号伝達手段と電気的に連結される請求項６に記載のプラズマディスプレイパネル。
【発明の詳細な説明】
【技術分野】
【０００１】
本発明は、電極端子部構造及びこれを備えたプラズマディスプレイパネルに係り、より詳細には、電極端子部に位置する端子部電極収束線が電界集中効果によって劣化することが防止することができる電極端子部構造及びこれを備えるプラズマディスプレイパネルに関する。
【背景技術】
【０００２】
プラズマディスプレイパネルは、ガス放電現象を用いて画像を表示する平板ディスプレイパネルであって、薄型で広視野角を有する高画質の大画面を実現できるため、近年脚光を浴びている。
【０００３】
このようなプラズマディスプレイパネルは、互いに対向して離隔されて配置された第１の基板及び第２の基板を備え、このような基板の間に放電を起こす空間である放電セル及び電圧が印加される電極が備えられる。前記放電セルには、放電ガスが充填されている。そして、前記電極間に、直流電圧又は交流電圧が印加されれば、放電セル内で放電が発生し、放電ガスから放出される紫外線によって前記基板に塗布されている蛍光体が励起して発光することにより画像を実現する。
【０００４】
また、プラズマディスプレイパネルの複数の電極は、アドレス放電を起こすアドレス電極と放電を維持させる維持電極とから構成される。そして、電極端子部において、このような電極は、信号伝達手段によってプラズマディスプレイパネルを駆動するための電気的信号を発生させる駆動回路部と電気的に連結される。
【０００５】
こうした電極端子部には、順次に電極と電気的に連結される少なくとも一つの端子部電極収束線、端子部電極収束線が集合されて単一の線に延長された端子部電極、及び前記端子部電極に電気的信号を伝達する信号伝達手段と接合される端子部電極接合部が備えられている。ところで、従来のプラズマディスプレイパネルにおいて、前記の端子部電極収束線は、角ばった部分が存在した状態で前記端子部電極に接続されているために電界集中効果が発生し、この結果、角ばった部分に多量の熱が発生し、端子部電極収束線が劣化されてしまうという問題点があった。  一方、前記のような維持電極のうち透明電極は、通常、ＩＴＯ（Ｉｎｄｉｕｍ  Ｔｉｎ  Ｏｘｉｄｅ）などで形成され、放電を発生させ、可視光の透過率を高める役割を果たしている。また、維持電極のうちバス電極は、電圧降下を防止するために銀（Ａｇ）などの低抵抗金属材料で形成され、透明電極に電流を供給する役割を担う。ところで、前記のように、維持電極を透明電極とバス電極との二層構造に形成する場合には、透明電極の単価が高いため、コストが増大するだけでなく、透明電極の抵抗値が高く低い抵抗値を達成しにくいという問題点がある。また、透明電極とバス電極とを正確に整列することが要求され、製造工程上、収率が低下するという問題点があった。
【０００６】
前記のような問題点を解決するために、近年では、透明電極を無くし、バス電極のみで維持電極を形成している。この場合には、放電開始電圧を低め、放電領域を拡大し、可視光の透過率に対応される開口率を高める技術が望まれている。
【０００７】
すなわち、維持放電を起こす第１の電極及び第２の電極をそれぞれ一つずつのバス電極として形成し、これらを隔壁と対応される位置に隔壁に沿ってそれぞれ配置すれば、開口率を１００％まで高めることができるが、バス電極間の間隔が広くなりすぎて放電開始電圧が非常に高くなってしまうという問題点が発生する。逆に、放電開始電圧を低下させるために、維持放電を起こす前記のような一対のバス電極間の間隔を狭めてしまうと、放電領域が狭くなるという問題点が発生する。次に、放電開始電圧を低下させ、放電領域を拡大させるためにバス電極間の間隔は狭めて、バス電極の幅を広げる方法があるが、その場合には、バス電極が放電セルを覆う面積が増大するため、開口率が著しく低下してしまうという問題点が発生する。
【発明の開示】
【発明が解決しようとする課題】
【０００８】
本発明は前記問題点を解決するために成されたものであって、電極端子部に位置する端子部電極収束線を角ばった部分が存在しないように形成することによって、端子部電極収束線が電界集中効果によって劣化することを防止することができるプラズマディスプレイの電極端子部構造を提供することを目的とする。
【０００９】
また、本発明は、透明電極を無くし、バス電極のみで維持電極を形成することによってコストを節減し、電極の抵抗値を低めて電圧降下を防止することで放電開始電圧を低下させると共に放電領域を拡大し、開口率を高めることができるプラズマディスプレイパネルを提供することを目的とする。
【課題を解決するための手段】
【００１０】
前記目的を達成するための本発明に係るプラズマディスプレイパネルの電極端子部構造は、複数のバス電極が一つの集合を成して構成される第１の電極と、前記第１の電極と対応されるように配置され、複数のバス電極が一つの集合を成して構成される第２の電極と、前記第１の電極及び前記第２の電極とそれぞれ電気的に連結される電極端子部と、前記電極端子部に位置し、第１の電極を構成する複数のバス電極又は第２の電極を構成する複数のバス電極とそれぞれ電気的に連結される端子部電極収束線と、前記電極端子部に位置し、前記端子部電極収束線が集合されて単一の線に延長された端子部電極と、を備え、前記端子部電極収束線は、角ばった部分が存在しないように前記端子部電極に接続されるプラズマディスプレイパネルの電極端子部構造である。
【００１１】
ここで、前記第１の電極又は前記第２の電極は、前記第１の電極又は前記第２の電極を構成する各バス電極グループに備えられている複数のバス電極を相互連結する電極連結部をさらに備えることができる。
【００１２】
また、前記第２の電極は、前記第１の電極が延長される方向と交差する方向に延長されることができる。
【００１３】
また、前記第１の電極及び前記第２の電極は、互いに平行に延長され、前記第１の電極及び前記第２の電極と交差するように延長されたアドレス電極をさらに備えることができる。
【００１４】
さらに、前記端子部電極は、前記第１の電極又は前記第２の電極に電気的信号を伝達する信号伝達手段と電気的に連結されることができる。
【００１５】
また、前記目的を達成するための本発明に係るプラズマディスプレイパネルは、第１の基板と、前記第１の基板と対向して離隔されて配置される第２の基板と、前記第１の基板と前記第２の基板との間に配置され、ガス放電を起こす空間である放電セルを画定する隔壁と、前記第１の基板と前記第２の基板との間に配置され、放電セル内でガス放電を引き起こし、複数のバス電極が一つの集合を成して構成された第１の電極及び第２の電極を備える維持電極対と、前記第１の電極及び前記第２の電極とそれぞれ電気的に連結される電極端子部と、前記電極端子部に位置し、第１の電極を構成する複数のバス電極又は第２の電極を構成する複数のバス電極とそれぞれ電気的に連結される端子部電極収束線と、前記電極端子部に位置し、前記端子部電極収束線が集合されて単一の線に延長された端子部電極と、前記放電セル内に配置される蛍光体層と、前記放電セル内に充填される放電ガスと、を備え、前記端子部電極収束線は、角ばった部分が存在しないように前記端子部電極に接続されるプラズマディスプレイパネルである。
【００１６】
ここで、前記第１の電極又は前記第２の電極は、前記第１の電極を構成する複数のバス電極又は前記第２の電極を構成する複数のバス電極相互連結する電極連結部をさらに備えることができる。
【００１７】
前記電極連結部は、前記バス電極と交差する方向に延長される前記隔壁と対応するように配置されることができる。
【００１８】
また、前記維持電極対を構成する前記第１の電極及び前記第２の電極に含まれる複数のバス電極は、前記放電セルに対応する領域内に配置されることができる。
【００１９】
また、前記維持電極は、前記第２基板と対向する側の前記第１の基板上に配置されることができる。
【００２０】
また、前記第２の電極は、前記第１の電極が延長される方向と交差する方向に延長されることができる。
【００２１】
また、前記第１の電極及び前記第２の電極は、互いに平行に延長され、前記第１の電極及び前記第２の電極が延長される方向と交差する方向に延長されたアドレス電極をさらに備えることができる。
【００２２】
また、前記アドレス電極は、前記第１の基板と対向する側の前記第２の基板上に配置されることができる。
【００２３】
また、前記端子部電極は、前記第１の電極又は前記第２の電極に電気的信号を伝達する信号伝達手段と電気的に連結されることができる。
【発明の効果】
【００２４】
以上のように構成された本発明に係るプラズマディスプレイの電極端子部構造及びその電極構造を備えたプラズマディスプレイは、透明電極を形成せずに、バス電極のみで維持電極を形成することによって、コストを節減し、電極の抵抗値を低くして電圧降下を防止すると共に放電開始電圧を低下させ、さらに、放電領域を拡大し、開口率を高めることができる。
【発明を実施するための最良の形態】
【００２５】
以下、添付した図面に基づき本発明の実施形態を詳細に説明する。
【００２６】
図１は、本発明の実施の形態に係るプラズマディスプレイパネルを示した概略図であり、図２は図１の‘Ｄ’の部分を拡大して示した部分斜視図であり、図３は図２の電極及び電極端子部構造を拡大して示した平面図であり、図４は図２のＩＶ−ＩＶ線に沿った断面図であり、図５は図２のＶ−Ｖ線に沿った断面図である。
【００２７】
図１〜図５に示されたように、本発明の実施の形態に係る電極端子部構造を備えたプラズマディスプレイパネル２００は、第１の基板２０１と、第１の基板２０１に対向して配置される第２の基板２０２と、第１の電極２０６及び第２の電極２０７から構成される維持電極対２０５と、電極端子部Ａ，Ａ’と、端子部電極収束線２０６ｅ，２０７ｅと、端子部電極２０６ｆ，２０７ｆと、放電セル２２０と、放電セルを画定する隔壁２１１と、放電セル２２０内に配置された蛍光体層２１０とを備えている。
【００２８】
ここで、第１の基板２０１及び第２の基板２０２は、所定間隔離隔されて配置されている。第１の基板２０１は、可視光を透過させるような材質（可視光透過性材質）、例えばガラスから形成され、可視光が透過できるようになっている。本実施の形態においては、第１の基板２０１がガラスから形成されることによって、蛍光体層２１０で発生した可視光が第１の基板２０１を通じて外部に射出される構造を有しているが、本発明はこれに限定されるものではなく、第２の基板２０２を可視光透過材質で形成することによって、蛍光体層２１０で発生した可視光が第２の基板２０２を通じて外部に射出される構造にしても良い。
【００２９】
また、こうした第１の基板２０１と第２の基板２０２とは、隔壁２１１によって画定される複数の放電セル２２０を限定する。また、第１の基板２０１及び第２の基板２０２は、隔壁２１１が形成された面積よりも広く形成され、隔壁２１１と共に放電セル２２０を十分に限定するだけではなく、こうした第１の基板２０１及び第２の基板２０２のうち、隔壁２１１が配置されない部分に信号伝達手段２３１，２３２を容易に設置することができる。
【００３０】
また、本実施の形態では、隔壁２１１によって画定される放電セル２２０の横断面が四角形であると示されているが、本発明はこれに限定されるものではなく、三角形、五角形などの多角形、円形、又は楕円形などの多様な形態で形成することもできる。
【００３１】
また、隔壁２１１は、第１の基板２０１と第２の基板２０２との間に配置され、通常、誘電体から形成される。また、隔壁２１１を形成する誘電体は、荷電粒子が維持電極対２０５に直接衝突して損傷させることを防止し、荷電粒子を誘導して壁電荷を蓄積できるが、このような誘電体としては、例えばＰｂＯ、Ｂ２Ｏ３、ＳｉＯ２などを使用することができる。
【００３２】
また、第１の電極２０６及び第２の電極２０７より構成される維持電極対２０５は、第１の基板２０１上に配置されている。しかしながら、本発明がこれに限定されるものではなく、維持電極対２０５は、隔壁２１１内に配置されてもよく、第２の基板２０２上に配置されても良い。また、第１の基板２０１には、第１の誘電体層２０８が維持電極対２０５を覆うように配置されているが、第１の誘電体層２０８は、放電時に相互に隣接する第１の電極２０６及び第２の電極２０７が直接通電されることを防止すると共に荷電粒子が維持電極対２０５に直接衝突して損傷させることを防止し、荷電粒子を誘導して壁電荷を蓄積できる機能を有する。また、第１の誘電体層２０８の誘電体としてはＰｂＯ、Ｂ２Ｏ３、ＳｉＯ２などを使用することができる。
【００３３】
また、第１の誘電体層２０８の下部には酸化マグネシウム（ＭｇＯ）などの保護層２０９を形成することができる。保護層２０９は、プラズマ粒子のスパッタリングによって維持電極対２０５が損傷されることを防止し、２次電子を多量放出して放電電圧を低める役割を果たす。
【００３４】
ここで、第１の電極２０６は、共通電極として第２の電極２０７と共に維持電極対２０５を構成して維持放電を起こす。第１の電極２０６は、三つのバス電極２０６ａ，２０６ｂ，２０６ｃを集合させて構成される。しかしながら、本発明がこれに限定されるものではなく、二つ又は四つ以上のバス電極を集合させて第１の電極２０６を構成しても良い。
【００３５】
また、第２の電極２０７は、走査電極であり、第１の電極２０６と対応されるものであって、第１の電極２０６と共に維持電極対２０５を構成して維持放電を起こす。また、後述するアドレス電極２０３と共にガス放電が発生する放電セル２２０を選択するアドレス放電を起こし、第１の電極２０６の場合と同様に、三つのバス電極２０７ａ，２０７ｂ，２０７ｃを集合させて構成される。しかしながら、本発明がこれに限定されるものではなく、第２の電極２０７は、二つ又は四つ以上のバス電極を集合させて第１の電極２０６を構成しても良い。
【００３６】
また、第１の電極を構成するバス電極２０６ａ，２０６ｂ，及び２０６ｃと第２の電極を構成する２０７ａ，２０７ｂ，及び２０７ｃとは、銀（Ａｇ）、白金（Ｐｔ）、パラジウム（Ｐｄ）、ニッケル（Ｎｉ）、銅（Ｃｕ）などの金属材質、ＩＴＯ（Ｉｎｄｉｕｍ  ｄｏｐｅｄ  ｔｉｎ  ｏｘｉｄｅ）、ＡＴＯ（Ａｎｔｉｍｏｎｙ  ｄｏｐｅｄ  ｔｉｎ  ｏｘｉｄｅ）、またはＣＮＴ（ｃａｒｂｏｎ  ｎａｎｏ  ｔｕｂｅ）などの導電性セラミック材質で形成することができる。従来のような、高コストで抵抗値が高い透明電極を必要とないので、コストを節減し、電極の抵抗値を低下させて、電圧降下を防止することができる。
【００３７】
また、それぞれの第１の電極２０６をそれぞれ幅が狭い三つのバス電極２０６ａ，２０６ｂ，２０６ｃから構成し、第２の電極２０７をそれぞれ幅が狭い三つのバス電極２０７ａ，２０７ｂ，２０７ｃから構成し、これらを互い違いに平行に配置することによって、第１の電極２０６及び第２の電極２０７を成すバス電極のうち互いに一番近く位置する第１の電極のバス電極２０６ａと第２の電極のバス電極２０７ｃとの間で放電が開始されるための放電開始電圧を低下させることができ、このように開始された放電は、次第に、互いに遠く離れている第１の電極のバス電極２０６ｂ，２０６ｃと第２の電極のバス電極２０７ｂ，２０７ａとの間に拡大されていくために放電領域を拡大することができる。
【００３８】
また、第１の電極２０６構成する２０６ａ，２０６ｂ，２０６ｃは、その幅ＷＢ１’，ＷＢ２’，ＷＢ３’が狭いように形成され開口率を高めることができる。また、同様に、第２の電極２０７を構成するバス電極２０７ａ，２０７ｂ，２０７ｃは、その幅ＷＢ１，ＷＢ２，ＷＢ３が狭いように形成されて開口率を高めることができる。この結果、可視光の透過率が高くなり、輝度が向上する。より具体的には、現在の製造技術を考慮するとき、幅ＷＢ１’，ＷＢ２’，ＷＢ３’、ＷＢ１，ＷＢ２，ＷＢ３を総て合わせた値は、１５０μｍ以下であることが好ましいが、本発明がこれに限定されるものではない。
【００３９】
また、前記の電極端子部Ａ，Ａ’は、第１の電極２０６又は第２の電極２０７と信号伝達手段２３１，２３２が電気的に連結される所定の領域を意味する。ここで、信号伝達手段２３１，２３２は、第１の電極２０６又は第２の電極２０７に電気的信号を伝達する機能を有し、ＴＣＰ（ｔａｐｅ  ｃａｒｒｉｅｒ  ｐａｃｋａｇｅ）、ＣＯＦ（ｃｈｉｐ  ｏｎ  ｆｉｌｍ）又はＦＰＣ（ｆｌｅｘｉｂｌｅ  ｐｒｉｎｔｅｄ  ｃｉｒｃｕｉｔ）などが使用することができる。
【００４０】
また、電極端子部Ａ，Ａ’には、端子部電極収束線２０６ｅ，２０７ｅが含まれるが、これは、第１の電極２０６を構成する同一の集合体内のバス電極２０６ａ，２０６ｂ，２０６ｃの一端部、または、第２の電極２０７を構成する同一の集合体内のバス電極２０７ａ，２０７ｂ，２０７ｃの一端部であって、後述する端子部電極２０６ｆ，２０７ｆとそれぞれ電気的に連結される部位を意味する。
【００４１】
また、端子部電極収束線２０６ｅ，２０７ｅは角ばった部分が存在しないように前記端子部電極に接続されることが好ましく、これは、感光性ペーストを用いた厚膜やスパッタリング又は蒸発法などを用いた薄膜で製作することができる。このようにすることによって、電界集中効果によって多量の熱が発生し、端子部電極収束線２０６ｅ，２０７ｅが劣化される従来の問題点を解決することができる。ここで、電界集中効果とは、電界中に導体を置いたとき、そのエッジ部分に電界が集中する効果をいい、こうした電界集中効果によって電界が集中された部分に集中して放電が発生し、当該部分の劣化が進行する。
【００４２】
また、電極端子部Ａ，Ａ’には、端子部電極２０６ｆ，２０７ｆが含まれるが、端子部電極２０６ｆ，２０７ｆとは、端子部電極収斂線２０６ｅ，２０７ｅが集合されて延長された単一の線を意味する。また、端子部電極２０６ｆ，２０７ｆは、感光性ペーストを用いた厚膜やスパッタリング又は蒸発法などを用いた薄膜で製作することができる。このようにすることによって、バス電極２０６ａ，２０６ｂ，２０６ｃから構成される第１の電極、又は、バス電極２０７ａ，２０７ｂ，２０７ｃから構成される第２の電極２０７は、端子部電極２０６ｆ，２０７ｆと電気的に連結され、さらに、端子部電極２０６ｆ，２０７ｆと信号伝達手段２３１，２３２とが端子部電極接合部２０６ｇ，２０７ｇを介して電気的に連結することができる。
【００４３】
また、信号伝達手段２３１，２３２は、端子部電極２０６ｆ，２０７ｆの第１の基板２０１に向かう面と反対側にある面に接触する。しかしながら、本発明がこれに限定されるものではなく、こうした信号伝達手段２３１，２３２は異なる多様な位置に配置することができる。
【００４４】
また、第１の電極２０６又は第２の電極２０７は、こうした第１の電極２０６又は第２の電極２０７を構成する各バス電極集合体に備えられている複数のバス電極（２０６ａ，２０６ｂ，２０６ｃ、２０７ａ，２０７ｂ，２０７ｃ）を相互連結する電極連結部２０６ｄ，２０７ｄをさらに備えることが好ましいが、本発明がこれに限定されるものではなく、こうした電極連結部２０６ｄ，２０７ｄは備えられていなくても良い。
【００４５】
しかしながら、電極連結部２０６ｄ，２０７ｄを備えることによって、第１の電極２０６又は第２の電極２０７を構成する複数のバス電極２０６ａ，２０６ｂ，２０６ｃ、２０７ａ，２０７ｂ，２０７ｃにおいて、これらのうちの一部が断線されても電極連結部２０６ｄ，２０７ｄによって補償することができる。また、電極連結部２０６ｄ，２０７ｄを隔壁２１１と対応するように隔壁２１１に沿って配置すれば、放電セル２２０が電極連結部２０６ｄ，２０７によって、遮蔽されないようにすることができる。従って、電極連結部２０６ｄ，２０７ｄによる開口率の低下は起こらない。
【００４６】
また、こうしたショートバー２０６ｄ，２０７ｄは、添付図面には同一の集合体内の総てのバス電極２０６ａ，２０６ｂ，２０６ｃとバス電極２０７ａ，２０７ｂ，２０７ｃとの間に設けられることと示されているが、本発明がこれに限定されるものではなく、同一グループ内のバス電極２０６ａ，２０６ｂ，２０６ｃとバス電極２０７ａ，２０７ｂ，２０７ｃの一部に電極連結部２０６ｄ，２０７ｄを設けても良い。また、電極連結部２０６ｄ，２０７ｄは一方向に沿って平行に配置されている隔壁２１１ごとに設けられているものと示されているが、本発明がこれに限定されるものではなく、二つ又はそれ以上の隔壁２１１ごとに配置されても良い。
【００４７】
また、図面には、電極連結部２０６ｄ，２０７ｄの配置は規則的に反復されていると示されているが、不規則的に配置されていても良い。
【００４８】
また、第１の電極２０６及び第２の電極２０７から構成一対の維持電極２０５に含まれるバス電極２０６ａ，２０６ｂ，２０６ｃ、２０７ａ，２０７ｂ，２０７ｃは、同じ放電セル２２０の領域内に配置されることが好ましいが、本発明がこれに限定されるものではない。なお、図４では、第１の電極２０６を構成する複数のバス電極２０６ａ，２０６ｂ，２０６ｃと第２の電極２０７を構成する複数のバス電極２０７ａ，２０７ｂ，２０７ｃは、総て所定の放電セル２２０と交差するようにその設置幅が決められて配置されている。
【００４９】
一方、第２の電極２０７は、第１の電極２０６が延長される方向と交差する方向に延長することができる。この場合、二つ電極２０６，２０７の間に電圧を印加することによって、放電が開始される放電セル２２０を選択できるので、後述するアドレス電極２０３が不要になる。
【００５０】
また、第１の電極２０６及び第２の電極２０７は、互いに平行に延長され、第１の電極２０６及び第２の電極２０７と交差するように延長されたアドレス電極２０３をさらに備えても良い。アドレス電極２０３の配置によって、アドレス電極２０３と共に放電のための電極２０６，２０７のうち第２の電極２０７を適切に選択することによって、放電が発生させる放電セル２２０を選択することが可能になる。ここで、アドレス電極２０３は、第２の基板２０２上に配置されることが好ましいが、本発明がこれに限定されるものではなく、隔壁２１１内に配置されても良いなど、多様な配置構造が可能である。
【００５１】
また、アドレス電極２０３の上には、第２の誘電体層２０４を積層して形成することができる。ここで、第２の誘電体層２０４は、放電時に陽イオン又は電子がアドレス電極２０３と衝突して、アドレス電極２０３を損傷させることを防止すると共に電荷を誘導できる誘電体で形成されるが、このような誘電体としては、ＰｂＯ、Ｂ２Ｏ３、ＳｉＯ２などを使用することができる。
【００５２】
また、蛍光体層２１０は、放電セル２２０の下面と隔壁２２１の側面とに形成されているが、本発明の場合、蛍光体層２１０が形成される位置は、これに限定されず、放電セル２２０の上面に形成されても良いなど、放電セル２２０内の多様な位置に形成することができる。ここで、蛍光体層２１０は、紫外線を受けて可視光を発生させる成分を有するが、赤色発光放電セルに形成された赤色蛍光体層は、Ｙ（Ｖ，Ｐ）Ｏ４：Ｅｕのような蛍光体を含み、緑色発光放電セルに形成された緑色蛍光体層は、Ｚｎ２ＳｉＯ４：Ｍｎのような蛍光体を含み、青色発光放電セルに形成された青色蛍光体層は、ＢＡＭ：Ｅｕのような蛍光体を含む。第１の基板２０１、第２の基板２０２及び隔壁２１１によって限定される放電セル２２０には、Ｎｅ，Ｘｅなど及びこれらの混合気体のような放電ガスが封入される。
【００５３】
以上では、図面に示された具体的な実施形態を参考して本発明を説明したが、これは例示的なものに過ぎないため、当業者であれば、これから多様な修正及び変形が可能であろう。従って、本発明の技術的範囲は、特許請求の範囲によって決定されなければならず、これと同等及び均等な範囲内にある総ての技術的思想は、本発明の技術的範囲に含まれると解釈されるものである。
【産業上の利用可能性】
【００５４】
本発明は、ディスプレイに関連した技術分野に有用である。
【図面の簡単な説明】
【００５５】
【図１】本発明に係るプラズマディスプレイパネルを示した概略図である。
【図２】図１のＤ部分を拡大して示した部分斜視図である。
【図３】図２の電極及び電極端子部構造を拡大して示した平面図である。
【図４】図２のＩＶ−ＩＶ線に沿った部分断面図である。
【図５】図２のＶ−Ｖ線に沿った部分断面図である。
【符号の説明】
【００５６】
２００    プラズマディスプレイパネル、
２０１、２０２    基板、
２０３    アドレス電極、
２０４    第２誘電体層、
２０５    維持電極対、
２０６    第１の電極、
２０７    第２の電極、
２０６ａ、２０６ｂ、２０６ｃ、２０７ａ、２０７ｂ、２０７ｃ    バス電極、
２０６ｄ、２０７ｄ    バス電極連結部、
２０６ｅ、２０７ｅ    端子部電極収束線、
２０６ｆ、２０７ｆ    端子部電極、
２０６ｇ、２０７ｇ    端子部電極接合部、
２０８    第１の誘電体層、
２０９    保護層、
２１０    蛍光体層、
２１１    隔壁、
２２０    放電セル、
２３１、２３２    信号伝達手段。
【図１】
2007053073.tif 000003
【図２】
2007053073.tif 000004
【図３】
2007053073.tif 000005
【図４】
2007053073.tif 000006
【図５】
2007053073.tif 000007